(57)【要約】【課題】唯一のホログラムテープを付与した本人認証情報記録媒体を提供する。【解決手段】バーコードの形式で乱数を直線状に表現した細長い平面画像３１０を作成し、これに基づいてバーコードの形式の乱数のホログラム原画４２を作成する。ホログラム原画４２をドラム１００の表面に巻き付け、干渉縞に対応する微小凹凸をドラム１００の表面に形成したドラム状ホログラム原板１０Ｄを作成する。長尺の素材シート２０Ｓの表面においてドラム状ホログラム原板１０Ｄを回転させることにより、ドラム状ホログラム原板１０Ｄの表面の微小凹凸ホログラム原画１１０を素材シート２０Ｓに繰り返して転写し、裁断して微小凹凸ホログラム原画１１０が転写されたホログラムテープＴを構成する。このホログラムテープＴ、本人認証情報ｐを付与し、本人認証情報ｐおよび本人に属する個人情報の両者を暗号化して内蔵するＩＣに記憶する。【特許請求の範囲】
【請求項１】
本人認証情報記録媒体において、
バーコードの形式で乱数を直線状に表現した細長い平面画像を作成し、作成された平面画像に基づいてバーコードの形式の乱数のホログラム原画を作成し、ホログラム原画をドラムの表面に巻き付け、エッチング技術を適用して干渉縞に対応する微小凹凸をドラムの表面に形成したドラム状ホログラム原板を作成し、長尺の素材シートの表面においてドラム状ホログラム原板を回転させることにより、ドラム状ホログラム原板の表面の微小凹凸ホログラム原画を素材シートに繰り返して転写し、この素材シートを特定の長さに裁断して微小凹凸ホログラム原画が転写されたホログラムテープを構成し、
本人認証情報記録媒体表面にこのホログラムテープを媒体の固有符号情報として付与すると共に本人認証情報を付与し、本人認証情報および本人に属する個人情報の両者を暗号コード化アルゴリズムにより暗号化して内蔵するＩＣに記憶したことを特徴とする本人認証情報記録媒体。
【請求項２】
表面に付与される本人認証情報は本人の顔写真イメージであることを特徴とする請求項１に記載の本人認証情報記録媒体。
【請求項３】
暗号コード化アルゴリズムはデータ圧縮アルゴリズムより成ることを特徴とする請求項１又は２に記載の本人認証情報記録媒体。
【請求項４】
第１のデータが格納されたホログラムが記録された記録領域と、
前記記録領域に記録されたホログラムに格納された第１のデータに基づいて第２のデータを符号化した第３のデータが記憶される記憶手段と
を備えることを特徴とする本人確認用セキュリティーカード。
【請求項５】
前記記録領域に記録されたホログラムにギャラクシーコードを追加したことを特徴とする請求項４に記載の本人確認用セキュリティーカード。
【請求項６】
前記記録領域はホログラム記録部であることを特徴とする請求項４又は５に記載の本人確認用セキュリティーカード。
【請求項７】
前記記憶手段はＩＣチップであることを特徴とする請求項４乃至６のいずれかに記載の本人確認用セキュリティーカード。
【請求項８】
前記第１のデータはアルゴリズムデータであることを特徴とする請求項４乃至７のいずれかに記載の本人確認用セキュリティーカード。
【請求項９】
前記第２のデータはイメージデータであることを特徴とする請求項４乃至８のいずれかに記載の本人確認用セキュリティーカード。
【請求項１０】
所定の本人確認用セキュリティーカードの記録領域に記録されたホログラムに格納されている第１のデータを読み取る第１の読み取りステップと、
前記本人確認用セキュリティーカードに記憶されている、前記第１のデータに基づいて第２のデータが符号化された第３のデータを読み取る第２の読み取りステップと、
前記第１の読み取りステップにおいて読み取られた前記第１のデータに基づいて、前記第２の読み取りステップにおいて読み取られた前記第３のデータを前記第２のデータに復号する復号ステップと、
前記第２のデータを出力する出力ステップと
を備えることを特徴とする本人確認用セキュリティーカード記録再生方法。
【請求項１１】
前記第１の読み取りステップにおいては、前記本人確認用セキュリティーカードの前記記録領域に対して所定の第１の方向から光を照射し、前記光の反射光を所定の第２の方向において受光し、受光した前記反射光に基づいて前記第１のデータを読み取る
ことを特徴とする請求項１０に記載の本人確認用セキュリティーカード記録再生方法。
【請求項１２】
前記第２のデータは所定の画像に対応するイメージデータであり、
前記画像を撮像する撮像ステップと、
前記画像に対応する前記イメージデータを記憶する記憶ステップと、
前記記憶ステップにおいて記憶された前記イメージデータを前記第１のデータに基づいて符号化する符号化ステップと、
前記符号化ステップにおいて符号化された前記イメージデータを前記本人確認用セキュリティーカードに記録する記録ステップと
を備えることを特徴とする請求項１０又は１１に記載の本人確認用セキュリティーカード記録再生方法。
【発明の詳細な説明】
【技術分野】
【０００１】
この発明は、本人認証情報記録媒体、本人確認用セキュリティーカード、および本人確認用セキュリティーカード記録再生方法に関し、特に、本人認証情報および本人の個人情報を電子的に記憶するＩＣを有し、本人認証情報を表面に有すると共にホログラムテープを表面に付与してこれを情報記録媒体の固有符号情報とする本人認証情報記録媒体、本人確認用セキュリティーカード、および本人確認用セキュリティーカード記録再生方法に関する。
【背景技術】
【０００２】
図１４に基づいて従来例を説明する。図１４は役所内に設置されている各種装置を示している。【０００３】
図１４において、１０はコンピュータより成る登録端末を示す。１１は登録端末１０に接続するキーボードである。１２はディジタルカメラを示し、１３はスキャナーを示す。Ｐｅは本人を示し、ｐは本人Ｐｅの本人認証情報（この例では、顔写真イメージ）を示す。２０はコンピュータより成る発行端末を示す。２１はカード発行機を示す。Ｃは発行端末２０およびカード発行機２１により発行されたＩＤカード、パスポートその他の本人認証情報記録媒体である。以下、本人認証情報記録媒体はＩＤカードであるものとして説明する。９０はサーバー、９１はケーブル、９２はルーターを示す。登録端末１０は、ケーブル９１およびルーター９２を含むＬＡＮ設備を介してサーバー９０に接続すると共に発行端末２０に接続している。【０００４】
ここで、先ず、本人認証情報である本人の顔写真イメージｐおよび本人に属する個人情報を登録端末１０に登録する。必要な本人の顔写真イメージｐは、写真ｐｈ０を用い、スキャナー１３を介して登録端末１０に読み込まれるか、或いはディジタルカメラ１２で登録端末１０に直接に取り込まれる。ＩＤ番号、住所、氏名、性別、生年月日、本籍、職業の如き個人情報は、顔写真イメージｐとは別に、登録端末１０に接続するキーボード１１を介して手動によりサーバー９０に登録する。以上の通り、本人認証情報である本人の顔写真イメージｐおよび本人に属する個人情報は、すべて、メモリデータとしてデータベース化される。メモリデータは、全て、暗号コード化アルゴリズムにより暗号化して記憶されている。【０００５】
ここで、ＩＤカードＣを発行する場合、発行端末２０は、発行しようとしているＩＤカードＣの対象情報をサーバー９０のデータベースから読み出して、ＬＡＮ設備を介して入力する。発行端末２０に入力されたＩＤカードＣの対象情報は、カード発行機２１に送り込まれ、ここにおいてＩＤカードＣに内蔵される記憶媒体である磁性媒体或いはＩＣに書き込まれる。この書き込みは、暗号エンコード化アルゴリズムにより実施される。ＩＤカードＣには、ＩＤカードＣの対象情報が全て書き込まれると共に、カード両面に本人認証情報である本人の顔写真イメージ、および本人に属するメモリデータの内の基本データのみが印刷される。基本データとしては、一例として、メモリデータの内の、住所、氏名、性別、生年月日、本籍、職業が選択される。この場合、ＩＤ番号は、ＩＤカードＣの表面の規定される位置に形成される磁気ストライプに記録される。なお、ＩＤカードＣのメモリデータは、暗号化して記憶されているので、ＩＤカードＣが第三者に拾われてもメモリ内容が読まれる恐れはない。【０００６】
ところで、ＩＤカードＣ、パスポートの如き本人認証情報記録媒体は、本人を認証する上において重要な意味を持つ磁気ストライプの記録内容を改竄し、或いは偽造される危険に絶えず曝されている。磁気ストライプの記録内容の改竄或いは偽造は、本人に属するメモリデータの改竄にもつながる。そこで、磁気ストライプの代わりに、ホログラム或いは回折格子の如き光学素子をＩＤカードＣの表面に形成し、これらをホログラム或いは回折格子の読み取り装置を具備して認識する構成を採用して、この改竄、偽造される恐れを緩和することが行われている（特許文献１〜６参照）。【０００７】
図１５を参照するに、次いで、オンラインで、本人確認および各種の証明書の発行をするには、これを実施する役所にコンピュータより成る受付端末３０を準備し、これをＬＡＮ接続する。そして、受付端末３０にカード読み取り装置４０を接続する。更に、レーザプリンタ５０をＬＡＮ接続する。【０００８】
ここで、発行されたＩＤカードＣを持参し、これをカード読み取り装置４０に適用してＩＤ番号を読み込む操作をする。そして、ＩＤカードＣを受付端末３０に適用して内部に記憶されている本人の顔写真イメージｐの情報および本人に属するメモリデータを読み込む操作をする。読み込まれたＩＤ番号と読み込まれた顔写真イメージｐの情報および本人に属するメモリデータに基づいて、受付端末３０には顔写真イメージｐの情報および本人に属するメモリデータが表示される。ここに表示された顔写真イメージｐとＩＤカードＣの表面に印刷されるイメージ或いは本人の風貌とが一致した場合、ＩＤカードＣを持参した者は本人であると認証される。【０００９】
また、従来、身分証明書として使用されるＩＤ（identification）カードには、磁気的に情報を記録するものや、ＩＣ（integrated circuit）に情報を記録するものがある。また、ＩＤ番号と顔画像をＩＤカードＣに記憶させるものがある（特許文献７参照）。
【特許文献１】特開平８−１０６５６２号公報
【特許文献２】特開平９−２７０１８号公報
【特許文献３】特開平９−５４８５１号公報
【特許文献４】特開平１０−１４３６２１号公報
【特許文献５】特開２００２−３２００２号公報
【特許文献６】特開２０００−２３１６１３号公報
【特許文献７】特開２００３−１９８２号公報
【発明の開示】
【発明が解決しようとする課題】
【００１０】
ＩＤカードＣ、パスポートの如き本人認証情報記録媒体の表面にホログラムテープを形成し、このホログラムテープをホログラム読み取り装置により認識する構成を採用することにより、本人認証情報記録媒体の改竄、偽造される恐れは緩和する。【００１１】
しかし、これにより本人認証情報記録媒体の改竄、偽造の恐れが完全に払拭される訳ではない。例えば、図１５におけるエンコーダ／デコーダを構成する受付端末３０およびカード読み取り装置４０の一式を入手することができれば、これを利用して当該本人認証情報記録媒体を改竄すると共に、本人に属するメモリデータをも改竄することができる。【００１２】
一方、磁気的に情報が記録されるＩＤカードＣの場合、簡単に情報を読み出すことができ、改竄も容易であるという問題があった。【００１３】
また、ＩＣチップ等に情報が電気的に記憶されるＩＤカードＣの場合でも、比較的簡単に情報を読み出すことができるという問題があった。【００１４】
このような事情に鑑み、この発明は、他に１枚たりとも同一ホログラム情報を有するホログラムテープの存在は在り得ないホログラムテープを本人認証情報記録媒体に付与して媒体の固有符号情報とすると共に、本人認証情報を付与し、本人認証情報および本人に属する個人情報の両者を暗号コード化アルゴリズムにより暗号化して内蔵するＩＣに記憶する構成を採用して、上述の問題を解消した本人認証情報記録媒体を提供するものである。また、簡単に情報を読み出すことができないようにし、改竄を困難にすることができるようにするものである。
【課題を解決するための手段】
【００１５】
まず、請求項１に係る本人認証情報記録媒体の発明は、本人認証情報記録媒体において、バーコードの形式で乱数を直線状に表現した細長い平面画像を作成し、作成された平面画像に基づいてバーコードの形式の乱数のホログラム原画を作成し、ホログラム原画をドラムの表面に巻き付け、エッチング技術を適用して干渉縞に対応する微小凹凸をドラムの表面に形成したドラム状ホログラム原板を作成し、長尺の素材シートの表面においてドラム状ホログラム原板を回転させることにより、ドラム状ホログラム原板の表面の微小凹凸ホログラム原画を素材シートに繰り返して転写し、この素材シートを特定の長さに裁断して微小凹凸ホログラム原画が転写されたホログラムテープを構成し、本人認証情報記録媒体表面にこのホログラムテープを媒体の固有符号情報として付与すると共に本人認証情報を付与し、本人認証情報および本人に属する個人情報の両者を暗号コード化アルゴリズムにより暗号化して内蔵するＩＣに記憶したことを特徴とする。
また、請求項２に係る本人認証情報記録媒体の発明は、表面に付与される本人認証情報は本人の顔写真イメージであることを特徴とする。
また、請求項３に係る本人認証情報記録媒体の発明は、暗号コード化アルゴリズムはデータ圧縮アルゴリズムより成ることを特徴とする。
また、請求項４に係る本人確認用セキュリティーカードの発明は、第１のデータが格納されたホログラムが記録された記録領域と、前記記録領域に記録されたホログラムに格納された第１のデータに基づいて第２のデータを符号化した第３のデータが記憶される記憶手段とを備えることを特徴とする。
また、請求項５に係る本人確認用セキュリティーカードの発明は、前記記録領域に記録されたホログラムにギャラクシーコードを追加したことを特徴とする。
また、請求項６に係る本人確認用セキュリティーカードの発明は、前記記録領域はホログラム記録部であることを特徴とする。
また、請求項７に係る本人確認用セキュリティーカードの発明は、前記記憶手段はＩＣチップであることを特徴とする。
また、請求項８に係る本人確認用セキュリティーカードの発明は、前記第１のデータはアルゴリズムデータであることを特徴とする。
また、請求項９に係る本人確認用セキュリティーカードの発明は、前記第２のデータはイメージデータであることを特徴とする。
また、請求項１０に係る本人確認用セキュリティーカード記録再生方法の発明は、所定の本人確認用セキュリティーカードの記録領域に記録されたホログラムに格納されている第１のデータを読み取る第１の読み取りステップと、前記本人確認用セキュリティーカードに記憶されている、前記第１のデータに基づいて第２のデータが符号化された第３のデータを読み取る第２の読み取りステップと、前記第１の読み取りステップにおいて読み取られた前記第１のデータに基づいて、前記第２の読み取りステップにおいて読み取られた前記第３のデータを前記第２のデータに復号する復号ステップと、前記第２のデータを出力する出力ステップとを備えることを特徴とする。
また、請求項１１に係る本人確認用セキュリティーカード記録再生方法の発明は、前記第１の読み取りステップにおいては、前記本人確認用セキュリティーカードの前記記録領域に対して所定の第１の方向から光を照射し、前記光の反射光を所定の第２の方向において受光し、受光した前記反射光に基づいて前記第１のデータを読み取ることを特徴とする。
また、請求項１２に係る本人確認用セキュリティーカード記録再生方法の発明は、前記第２のデータは所定の画像に対応するイメージデータであり、前記画像を撮像する撮像ステップと、前記画像に対応する前記イメージデータを記憶する記憶ステップと、前記記憶ステップにおいて記憶された前記イメージデータを前記第１のデータに基づいて符号化する符号化ステップと、前記符号化ステップにおいて符号化された前記イメージデータを前記本人確認用セキュリティーカードに記録する記録ステップとを備えることを特徴とする。
【発明の効果】
【００１６】
この発明によれば、他に１枚たりとも同一ホログラム情報を有するホログラムテープの存在は在り得ないホログラムテープを本人認証情報記録媒体に付与して媒体の固有符号情報とすると共に、本人認証情報を付与し、本人認証情報および本人に属する個人情報の両者を暗号コード化アルゴリズムにより暗号化して内蔵するＩＣに記憶する構成を採用したことにより、媒体の固有符号情報を示すホログラムテープの変造、改竄はなし得ない。そして、本人認証情報および本人に属する個人情報の両者を暗号コード化アルゴリズムにより暗号化して内蔵するＩＣに記憶することにより、本人認証情報記録媒体に付与される本人認証情報を変造、改竄したところで、ＩＣに記憶される真正な本人認証情報を参照することにより、本人認証はなされない。【００１７】
また、受付端末およびカード読み取り装置の一式を入手し、これを利用して当該本人認証情報記録媒体に記憶される本人認証情報および本人に属する個人情報の両者を変造、改竄することも考えられるが、その本人認証情報記録媒体には実際には何らの利用価値もない。【００１８】
ところで、この発明において使用されるホログラムテープ、ホログラムテープを本人認証情報記録媒体に付与すること、写真イメージの如き本人認証情報を本人認証情報記録媒体に付与すること、本人認証情報および本人に属する個人情報の両者を暗号コード化アルゴリズムにより暗号化して内蔵するＩＣに記憶すること、自体は何れも公報に記載される技術ではある。しかし、本人認証情報記録媒体に他に１枚たりとも同一ホログラム情報を有するホログラムテープの存在は在り得ないホログラムテープを付与すること、本人認証情報を本人認証情報記録媒体に付与すること、本人認証情報および本人に属する個人情報の両者を暗号コード化アルゴリズムにより暗号化して内蔵するＩＣに記憶すること、を併せ持つことにより、本人認証情報記録媒体をその変造、改竄をなし得ないものとした。【００１９】
また、記録領域に記録されたホログラムにギャラクシーコードを追加することにより、人間による判定を不要とし、９９％以上の高い読み取り成功率を実現することができる。
【発明を実施するための最良の形態】
【００２０】
＜第１の実施形態＞
発明を実施するための最良の形態を図１に基づいて説明する。図１は図１４および図１５を簡略化して概念的に示した図に相当する。【００２１】
図１において、６０はコード化／デコード化装置を示す。コード化／デコード化装置６０には、登録端末１０およびカード読み取り装置４０が接続されている。【００２２】
ここで、ＩＤカードＣの表面には、図２に示すように、ホログラムテープＴが貼り付けられている。このホログラムテープＴとして、特に、下記の製造工程を経て構成されたホログラムテープＴを使用する。図３に基づいて説明するに、先ず、バーコードの形式で乱数を直線状に表現した細長い平面画像３１０を作成し、作成された平面画像３１０に基づいてバーコードの形式の乱数のホログラム原画４２を作成し、ホログラム原画４２をドラム１００の表面に巻き付け、エッチング技術を適用して干渉縞に対応する微小凹凸をドラム１００の表面に形成したドラム状ホログラム原板１０Ｄを作成し、長尺の素材シート２０Ｓの表面においてドラム状ホログラム原板１０Ｄを回転させることにより、ドラム状ホログラム原板１０Ｄの表面の微小凹凸ホログラム原画１１０を素材シート２０Ｓに繰り返して転写し、微小凹凸ホログラム原画１１０が転写された素材シート２０ＳをＩＤカードＣの長さに対応する必要な長さに裁断して、ホログラムテープＴを製造する。【００２３】
製造されたホログラムテープＴを図２に基づいて説明する。図２．ａは以上の製造工程を経て製造された微小凹凸ホログラム原画１１０が転写された素材シート２０ＳおよびＩＤカードＣの長さに対応する必要な長さに裁断して形成されたホログラムテープＴを示し、図２．ｂはホログラムテープＴをＩＤカードＣの表面に貼り付けたところを示す図である。【００２４】
Ｄ1 ないしＤn は、それぞれ、ホログラムテープＴに製造時に形成されたデータを示す。Ｌ1 ないしＬn は、それぞれ、ホログラムテープＴに製造時に形成されたデータ間の間隔を示す。データＤ1 ないしＤ10は、形成された微小凹凸ホログラム原画１１０が転写された素材シート２０Ｓの極く一部を示す。間隔Ｌ1 ないしＬ10も、形成された微小凹凸ホログラム原画１１０が転写された素材シート２０Ｓの極く一部を示す。形成される各データＤの幅と各間隔Ｌの長さは、干渉縞に対応する微小凹凸をドラム１００の表面に形成したドラム状ホログラム原板１０Ｄを設計作成した時に、一意的に決定している。ここで、ホログラムテープＴの間隔Ｌn ないしＬ5 の間のデータＤと間隔Ｌの全体、および間隔Ｌ5 ないしＬ10の間のデータＤと間隔Ｌの全体が、それぞれ当該ホログラムテープの固有のホログラム情報を形成している。【００２５】
図２．ａ（イ）の素材シート２０Ｓは、たまたま、間隔Ｌn 、Ｌ5 、およびＬ10において裁断され、図２．ａ（ロ）に示される等しい長さの２枚のホログラムテープＴが形成された。そして、データＤ1 ないしＤ10同士の幅は互いに等しくなく、データ間の間隔Ｌ1 ないしＬ10同士の長さも互いに等しくない。上述した通り、ホログラムテープＴは、形成されるデータＤの値である各幅と間隔Ｌの各長さに依りそのホログラム情報を規定されるところから、図２．ａ（ロ）に示されるホログラムテープＴの示すホログラム情報は両者等しくない。ここで、裁断形成されたホログラムテープＴは、他に１枚たりとも同一ホログラム情報を有するホログラムテープの存在は在り得ない。【００２６】
図２．ｂはこのホログラムテープＴを貼着したＩＤカードＣを示す。コード化／デコード化装置６０には、固有の暗号コード化アルゴリズムおよび暗号デコード化アルゴリズムが具備されている（暗号コード化アルゴリズム：データ圧縮アルゴリズム。暗号デコード化アルゴリズム：データ伸張アルゴリズム）。ＩＤカードＣを発行するに際して、図２．ａ（ロ）に示されるホログラムテープＴを貼着したＩＤカードＣを準備する。ホログラムテープＴを貼着したことで、当該ＩＤカードＣにはＩＤ番号に相当するカード固有符号情報が付与されたことになる。本人認証情報である本人の顔写真イメージｐをスキャナー１３を介して、或いはディジタルカメラ１２でコード化／デコード化装置６０に入力すると共に、住所、氏名、性別、生年月日、本籍、職業の如き個人情報をコード化／デコード化装置６０に入力し、これら両者を固有の暗号コード化アルゴリズムにより圧縮暗号化する。一方において、ホログラムテープＴを貼着した当該ＩＤカードＣをカード読み取り装置４０に適用し、ホログラムテープＴの示すカード固有符号情報を読み取る。【００２７】
コード化／デコード化装置６０に入力して固有の暗号コード化アルゴリズムにより圧縮暗号化された本人の顔写真イメージｐおよび個人情報は、ホログラムテープＴの示すカード固有符号情報が読み取られたことを条件として、カード固有符号情報と共にホログラムテープＴを貼着したＩＤカードＣに内蔵するＩＣに圧縮記憶される。【００２８】
図４に基づいてカード読み取り装置４０の動作を説明する。【００２９】
カード読み取り装置４０は、付与されたホログラムテープＴをその長さ方向の中心線に沿ってレーザ光源４０１からレーザ光を照射する。このホログラムテープＴのホログラムは３次元構造を有している。レーザ光源４０１から放射されるレーザ光がＩＤカードＣ上に付与されるホログラムテープＴの長さ方向の中心線ｍに沿って走査し、レーザ光がそこで鏡面反射して第２のセンサ＃２に入射した場合、これはホログラムデータＤが存在しないデータ間の間隔Ｌをレーザ光が照射していることを意味する。レーザ光が第２のセンサ＃２に入射している時間間隔を測定してデータＤ間の間隔Ｌを検出する。ホログラムデータが存在するデータＤをレーザ光源４０１のレーザ光が照射している場合、レーザ光は３次元構造のホログラムデータにより所定の反射角で反射せしめられて第１のセンサ＃１に入射し、データＤが検出される。なお、ホログラムデータが存在するデータＤのところで素材シート２０Ｓの裁断が行われた場合は、この半端なデータＤは、それぞれ、隣接する間隔Ｌに加えられて間隔の一部として取り扱われる。【００３０】
ここで、図１に基づいてＩＤカードＣの取り扱い操作を要約する。ＩＤカードＣは無接触式であるものとする。【００３１】
ＩＤカードＣに対するデータの書き込み操作については、ホログラムテープＴを貼着したＩＤカードＣをカード読み取り装置４０に適用してホログラムテープＴの示すカード固有符号情報を読み取る読み取り操作ａ、および、各種入力データをコード化／デコード化装置６０に対して入力する入力操作ｂで、ＩＤカードＣに対するデータの書き込み操作ｃが実行される。【００３２】
ＩＤカードＣに対する読み出し操作については、ＩＤカードＣをカード読み取り装置４０に適用してホログラムテープＴの示すカード固有符号情報を読み取る読み取り操作ａ、および、ＩＤカードＣをコード化／デコード化装置６０に対して無接触で読み込む読み込み操作ｄで、各種データを登録端末１０に出力データを表示する表示操作ｅを実行する。ここで、ｂの入力データとｅの出力データはほぼ等しくなる。【００３３】
＜第２の実施形態＞
次に、他の実施の形態について説明する。図５は、本発明を応用した記録装置の一実施の形態の構成例を示すブロック図である。同図に示すように、本実施の形態は、本人確認用セキュリティーカード６００上のホログラムに格納されたアルゴリズムデータ（第１のデータ）を読み出し、このアルゴリズムデータに従って所定のデータを符号化し、本人確認用セキュリティーカード６００に記録するものである。【００３４】
図５に示すように、記録装置５１０は、所定の画像を撮像し、ディジタルのイメージデータ（第２のデータ）に変換して出力する撮像装置５０１と、撮像装置５０１によって撮像された画像に対応するイメージデータを記憶するメモリ５０２と、メモリ５０２に記憶されたイメージデータを、本人確認用セキュリティーカード６００のホログラム記録部６０１（図６）のホログラムに格納されたアルゴリズムデータに基づいて符号化する符号化部５０３と、符号化部５０３によって符号化されたイメージデータを本人確認用セキュリティーカード６００のＩＣチップ６０２（図６）に記録する記録部５０４と、本人確認用セキュリティーカード６００のホログラム記録部６０１のホログラムに格納されたアルゴリズムデータを読み出すディテクタ５０５とから構成されている。【００３５】
図６は、本人確認用セキュリティーカード６００の構成例を示している。上記アルゴリズムデータは、ホログラム記録部６０１のホログラムに格納されている。ホログラム記録部６０１のホログラムに格納されたアルゴリズムデータは、このホログラム記録部６０１のホログラムに所定の第１の方向から所定の光を照射し、その反射光を所定の第２の方向においてディテクタ５０５によって受光し、受光した光の強度に対応する電気信号に変換することによって読み取ることができる。【００３６】
また、ホログラム記録部６０１に光を照射する発光部（図示せず）の光軸と、その光の反射光を受光するディテクタ５０５の光軸とのなす角度θは、所定の角度とされる。また、本人確認用セキュリティーカード６００は、ＩＣチップ６０２を備えており、符号化された上記イメージデータや各種データを電気的に記録することが可能となっている。【００３７】
図７は、本発明を応用した読み取り装置の一実施の形態の構成例を示すブロック図である。同図に示すように、読み取り装置５２０は、本人確認用セキュリティーカード６００のホログラム記録部６０１に所定の光を照射する発光部（図示せず）と、その光の反射光を受光し、受光した光の強度に対応する電気信号をディジタルのデータに変換して出力することにより、ホログラムに格納されたアルゴリズムデータを読み取るディテクタ５２１と、本人確認用セキュリティーカード６００のＩＣチップ６０２に電気的に記録されたデータを読み出すデータ読み出し部５２２と、データ読み出し部５２２によって読み出されたデータに対して、ディテクタ５２１により読み取られたアルゴリズムデータに基づいて復号処理を施す復号部５２３と、復号部５２３によって復号されたデータを表示するモニタ５２４とから構成されている。【００３８】
ホログラム記録部６０１のホログラムには、本人確認用セキュリティーカード６００毎にユニークなアルゴリズムデータが予め格納されており、このホログラムに格納されたアルゴリズムデータは、所定の第１の方向から光を照射し、その反射光を上記第１の方向と所定の角度をなす所定の第２の方向において受光することによってのみ読み取ることができるようになっている。【００３９】
次に、図８に示したフローチャートに基づき、本人確認用セキュリティーカード６００のＩＣチップ６０２に、この本人確認用セキュリティーカード６００の所有者の顔のイメージデータを記録する手順について説明する。【００４０】
まず最初に、ステップＳ１において、撮像装置５０１により、本人確認用セキュリティーカード６００の所有者の顔の画像が撮像される。次に、ステップＳ２において、顔の画像に対応する電気信号がディジタルのイメージデータに変換され、メモリ５０２に供給される。このイメージデータは、メモリ５０２によって記憶され、適宜符号化部５０３に供給される。【００４１】
次に、ステップＳ３において、本人確認用セキュリティーカード６００のホログラム記録部６０１のホログラムに格納されているアルゴリズムデータがディテクタ５０５によって読み出される。読み出されたアルゴリズムデータは符号化部５０３に供給される。【００４２】
次に、ステップＳ４において、本人確認用セキュリティーカード６００から読み出されたアルゴリズムデータに基づいて、メモリ５０２に記憶されている上記イメージデータが符号化され、記録部５０４に供給される。【００４３】
次に、ステップＳ５において、記録部５０４により、符号化部５０３から供給された符号化されたイメージデータが本人確認用セキュリティーカード６００のＩＣチップ６０２に記録される。【００４４】
次に、図９に示したフローチャートに基づき、本人確認用セキュリティーカード６００のＩＣチップ６０２に記録された本人の顔のイメージデータを再生し、モニタ５２４に表示する手順について説明する。【００４５】
まず最初に、ステップＳ１１において、本人確認用セキュリティーカード６００のホログラム記録部６０１のホログラムに格納されたアルゴリズムデータが、ディテクタ５２１によって読み出され、復号部５２３に供給される。次に、ステップＳ１２において、本人確認用セキュリティーカード６００のＩＣチップ６０２に記録されたイメージデータがデータ読み出し部５２２によって読み出され、復号部５２３に供給される。【００４６】
次に、ステップＳ１３において、復号部５２３により、ディテクタ５２１より供給されたアルゴリズムデータに基づいて、データ読み出し部５２２より供給されたイメージデータが復号される。次に、ステップＳ１４において、復号されたイメージデータがモニタ５２４に供給され、表示される。【００４７】
モニタ５２４に表示された本人確認用セキュリティーカード６００の所有者の顔のイメージと、実際の顔のイメージとを目視により比較することにより、本人確認用セキュリティーカード６００を所持する所有者が、本人確認用セキュリティーカード６００の本来の所有者本人であるか否かを認証することができる。ホログラムに格納されたアルゴリズムデータは、上述したように、読み取りが困難であるため、ＩＣチップ６０２に記録されたイメージデータを表示したり、改竄したりすることは困難であり、本人確認用セキュリティーカード６００の偽造や変造を抑制することができる。【００４８】
＜第３の実施形態＞
次に、さらに別の実施の形態について説明する。図１０．ａはクレジットカードの表面図であり、図１０．ｂはクレジットカードの裏面図である。図１１はホログラムに追加されたギャラクシーコードを示す模式図である。図１０および図１１に示すように、本実施の形態は、クレジットカード７００のホログラム記録部７０３に記録されたホログラムにギャラクシーコード７０６を追加することにより、人間による判定を不要とし、９９％以上の高い読み取り成功率を実現するものである。【００４９】
図１０に示すように、クレジットカード７００は、平板状の基板７０１と、基板７０１の表面に貼付された顔写真７０２と、基板７０１の表面に取り付けられたホログラム記録部７０３と、本人の住所、氏名、性別、生年月日など各種の情報が電気的に記憶されたＲＦＩＤチップ７０４と、基板７０１内にループ状に配設された内蔵アンテナ７０５とから構成されている。ホログラム記録部７０３にはホログラムが記録されており、このホログラムには、図１１に示すように、ギャラクシーコードＧが追加されている。ギャラクシーコードＧとは、多数個のギャラクシー項目をランダムに配置したものであり、各クレジットカード７００ごとにユニークなものとなる。【００５０】
このクレジットカード７００を読み取るときには、図１２に示すように、クレジットカード７００をリーダ７１０に差し込む。すると、リーダ７１０は、ギャラクシーコードＧのギャラクシー項目の微小パターンを正確に探知することにより、このクレジットカード７００が正規のものであるか否かを判定する。この際、ギャラクシー項目ごとに約２５０００通りの組み合わせがあるため、ギャラクシー項目がｎ個あるとすると、大略２５０００n のギャラクシーパターンが存在することになる。したがって、２枚のクレジットカード７００のギャラクシーコードＧが完全に一致する確率は、２５０００-n程度となり、ギャラクシー項目の個数ｎがある程度大きければ、実質的にゼロと言える。その結果、クレジットカード７００の不正な複製を見抜くことができる。しかも、このギャラクシーコードＧによる方法だと、人間による判定が不要であるばかりか、９９％以上の高い読み取り成功率を実現することができる。【００５１】
こうしてクレジットカード７００が正規のものであると認識されると、ＲＦＩＤチップ７０４に記憶された情報にアクセスする許可が得られるので、ＲＦＩＤチップ７０４に記憶された各種の情報は、非接触型の自動認識技術、すなわちＲＦＩＤ（radio frequency identification）により、内蔵アンテナ７０５からリーダ７１０側へ無線伝送される。【００５２】
＜その他の実施形態＞
なお、上述した第３の実施形態においては、クレジットカード７００に本発明を適用した場合について説明したが、図１３に示すように、パスポート８００に本発明を適用することもできる。【００５３】
図１３に示すように、パスポート８００は、冊子状の基紙８０１と、基紙８０１の内面に貼付された顔写真８０２と、基紙８０１の内面に取り付けられたホログラム記録部８０３と、本人の住所、氏名、性別、生年月日など各種の情報が電気的に記憶されたＲＦＩＤチップ８０４と、基紙８０１にループ状に刷り込まれた内蔵アンテナ８０５とから構成されている。ホログラム記録部８０３にはホログラムが記録されており、このホログラムには、図１１に示すように、ギャラクシーコードＧが追加されている。ギャラクシーコードＧとは、多数個のギャラクシー項目をランダムに配置したものであり、各パスポート８００ごとにユニークなものとなる。【００５４】
このパスポート８００を読み取るときには、図１３に示すように、パスポート８００をリーダ８１０に差し込む。すると、リーダ８１０は、ギャラクシーコードＧのギャラクシー項目の微小パターンを正確に探知することにより、このパスポート８００が正規のものであるか否かを判定する。この際も、第３の実施形態で述べたのと同じ理由で、パスポート８００の不正な複製を見抜くことができる。また、このギャラクシーコードＧによる方法だと、人間による判定が不要であるばかりか、９９％以上の高い読み取り成功率を実現することができる。【００５５】
こうしてパスポート８００が正規のものであると認識されると、ＲＦＩＤチップ８０４に記憶された情報にアクセスする許可が得られるので、ＲＦＩＤチップ８０４に記憶された各種の情報は、非接触型の自動認識技術、すなわちＲＦＩＤ（radio frequency identification）により、内蔵アンテナ８０５からリーダ８１０側へ無線伝送される。
【図面の簡単な説明】
【００５６】
【図１】本発明の実施の形態を説明する図である。
【図２．ａ】ホログラムテープを説明する図である。
【図２．ｂ】ＩＤカードを説明する図である。
【図３．ａ】ホログラムテープの製造工程を説明する斜視図である。
【図３．ｂ】ホログラムテープの製造工程を説明する正面図である。
【図４】カード読み取り装置を説明する図である。
【図５】本発明の本人確認用セキュリティーカードにデータを記録する記録装置の構成例を示すブロック図である。
【図６】ホログラムに格納されたアルゴリズムデータを読み出す方法を示す図である。
【図７】本発明の本人確認用セキュリティーカードに記録されたデータを読み取る読み取り装置の構成例を示すブロック図である。
【図８】本人確認用セキュリティーカードにデータを記録する手順を示すフローチャートである。
【図９】本人確認用セキュリティーカードに記録されたデータを読み出して表示する手順を示すフローチャートである。
【図１０．ａ】クレジットカードの表面図である。
【図１０．ｂ】クレジットカードの裏面図である。
【図１１】ホログラム記録部の拡大詳細図である。
【図１２】クレジットカードをリーダに差し込んだ状態を示す図である。
【図１３】パスポートをリーダに差し込んだ状態を示す図である。
【図１４】従来例を説明する図である。
【図１５】他の従来例を説明する図である。
【符号の説明】
【００５７】
１０…登録端末
１０Ｄ…ドラム状ホログラム原板
１１…キーボード
１２…ディジタルカメラ
１３…スキャナー
２０…発行端末
２０Ｓ…素材シート
２１…カード発行機
３０…受付端末
４０…カード読み取り装置
４２…ホログラム原画
５０…レーザプリンタ
６０…コード化／デコード化装置
９０…サーバー
９１…ケーブル
９２…ルーター
１００…ドラム
１１０…微小凹凸ホログラム原画
３１０…平面画像
４０１…レーザ光源
ａ…読み取り操作
ｂ…入力操作
ｃ…書き込み操作
ｄ…読み込み操作
ｅ…表示操作
Ｃ…ＩＤカード（本人認証情報記録媒体）
Ｄ1 〜Ｄn …データ
Ｌ1 〜Ｌn …間隔
ｍ…中心線
ｐ…顔写真イメージ（本人認証情報）
Ｐｅ…本人
Ｔ…ホログラムテープ
＃１…第１のセンサ
＃２…第２のセンサ
５０１…撮像装置
５０２…メモリ
５０３…符号化部
５０４…記録部
５０５、５２１…ディテクタ
５１０…記録装置
５２０…読み取り装置
５２２…データ読み出し部
５２３…復号部
５２４…モニタ
６００…本人確認用セキュリティーカード
６０１…ホログラム記録部（記録領域）
６０２…ＩＣチップ（記憶手段）
７００…クレジットカード（本人確認用セキュリティーカード）
７０１…基板
７０２、８０２…顔写真
７０３、８０３…ホログラム記録部
７０４、８０４…ＲＦＩＤチップ
７０５、８０５…内蔵アンテナ
８００…パスポート（本人確認用セキュリティーカード）
８０１…基紙
Ｇ…ギャラクシーコード
【図１】
2005055131.tif 000002
【図２．ａ】
2005055131.tif 000003
【図２．ｂ】
2005055131.tif 000004
【図３．ａ】
2005055131.tif 000005
【図３．ｂ】
2005055131.tif 000006
【図４】
2005055131.tif 000007
【図５】
2005055131.tif 000008
【図６】
2005055131.tif 000009
【図７】
2005055131.tif 000010
【図８】
2005055131.tif 000011
【図９】
2005055131.tif 000012
【図１０．ａ】
2005055131.tif 000013
【図１０．ｂ】
2005055131.tif 000014
【図１１】
2005055131.tif 000015
【図１２】
2005055131.tif 000016
【図１３】
2005055131.tif 000017
【図１４】
2005055131.tif 000018
【図１５】
2005055131.tif 000019
【国際調査報告】
2005055131.tif 000020
2005055131.tif 000021
2005055131.tif 000022
2005055131.tif 000023